(57)【要約】【課題】ガス区分用絶縁スペーサへのガス圧荷重を低減させて、機器分解作業の安全性および運用安定度の向上を図る。【解決手段】減圧区画母線８ａを断路器接地開閉器４および着脱母線６ａと同軸に配置し、ガス減圧用母線８ｂを主母線断路器５および着脱母線６ｂと同軸に配置する。ガス圧制御部１９は、着脱母線６ａ，６ｂを取り外すとき、ガス減圧用母線８ａ，８ｂ内のガス圧を、大気圧よりも高く且つ絶縁ガスの定格ガス圧よりも低いガス圧にまで減圧する。このため、ガス減圧用母線８ａと断路器接地開閉器４との間に位置する絶縁スペーサ７ならびにガス減圧用母線８ｂと主母線断路器５との間に位置する絶縁スペーサ７は、一方の面に大気圧がかかり、他方の面には低減ガス圧がかかり、絶縁スペーサ７へのガス圧荷重を低減する。【選択図】図１
2013215020.tif 000002
【特許請求の範囲】
【請求項１】
ガス絶縁開閉装置の構成要素に対し着脱自在に接続される着脱母線と、
前記着脱母線に隣接して配置されるガス区分用の絶縁スペーサと、
前記着脱母線との間で前記絶縁スペーサを挟むようにして配置され、定格ガス圧の絶縁ガスが封入され、前記着脱母線を取り外すときに前記絶縁ガスのガス圧を定格ガス圧よりも低減させるガス減圧用母線と、
前記ガス減圧用母線内部のガス圧を制御するガス圧制御部を備えたことを特徴とするガス絶縁開閉装置。
【請求項２】
前記ガス減圧用母線および前記着脱母線を同一軸線上に配置したことを特徴とする請求項１に記載のガス絶縁開閉装置。
【請求項３】
前記ガス減圧用母線および前記着脱母線を各母線の主軸が直角を含む任意の角度で交差するように配置したことを特徴とする請求項１に記載のガス絶縁開閉装置。
【請求項４】
第１および第２の主母線と、第１および第２の主母線断路器と、前記第１および第２の主母線からの引き出しを一つに集約するための絞り母線を備え、
前記ガス減圧用母線は、前記第１の主母線断路器および前記絞り母線に接続された第１のガス減圧用母線と、前記第２の主母線断路器および前記絞り母線に接続された第２の減ガス減圧用母線からなることを特徴とする請求項１〜３のいずれか１項に記載のガス絶縁開閉装置。
【請求項５】
前記絞り母線と前記着脱母線とのガス区分を一体的に設けたことを特徴とする請求項４に記載のガス絶縁開閉装置。
【請求項６】
前記絞り母線にはガス遮断器を接続し、
前記着脱母線は前記ガス遮断器を前記絞り母線に着脱させると共に、前記絞り母線を前記第１のガス減圧用母線あるいは前記第２のガス減圧用母線に着脱させるよう構成したことを特徴とする請求項１〜５のいずれか１項に記載のガス絶縁開閉装置。
【発明の詳細な説明】
【技術分野】
【０００１】
本発明の実施形態は、ガス区分用の絶縁スペーサに対するガス圧荷重を軽減化したガス絶縁開閉装置に関する。
【背景技術】
【０００２】
絶縁ガスが封入されるガス絶縁開閉装置は、気中絶縁方式の開閉装置に比べて据付面積を大幅に縮小することに成功しており、広く普及している。中でも、二重母線方式のガス絶縁開閉装置は多くの電気所で採用されている。また、ガス絶縁開閉装置はガス区分用の絶縁スペーサを取り付けており、故障や事故などが起きた不具合部分を除去しても、健全な部分に関しては絶縁スペーサが絶縁ガスの封入状態を維持する。そのため、二重母線方式では一方の主母線が運用不可能になっても、健全な主母線のみで単母線運用を継続することができる。このようなガス絶縁開閉装置としては特許文献１などが提案されている。
【０００３】
ガス絶縁開閉装置において故障部分などを除去するために機器の分解作業を行う際、ガス区分用の絶縁スペーサの片面が大気に露出すると、そこには大気圧がかかる。このとき、絶縁スペーサに絶縁ガスの定格ガス圧がかかっていると、絶縁スペーサに作用するガス圧荷重が増大する。なぜなら、大気圧がかかる露出面側と定格ガス圧がかかる裏面側とでは、ガス圧差が大きくなるからである。具体的には絶縁ガスの定格ガス圧が０．４〜０．６ＭＰａだと、絶縁スペーサへのガス圧荷重は２倍以上になる。
【０００４】
絶縁スペーサは主にエポキシ樹脂などからなり、金属材料ほどの強度を持たないので、ガス圧荷重が強く作用した上に偏荷重や衝撃荷重が加わると、割れたり損傷したりする可能性がある。そこで従来では、機器分解作業の実施に際して特殊な着脱治具を使用し、絶縁スペーサに強いガス圧荷重を与えないようにしている。これにより、絶縁スペーサの破損を防ぎ、作業時の安全性を確保することができる。
【先行技術文献】
【特許文献】
【０００５】
【特許文献１】特開２０００−５０４３５号公報
【発明の概要】
【発明が解決しようとする課題】
【０００６】
しかし、特殊な着脱治具を使用して機器分解作業を行うと、機器分解作業における作業性が低い。そこで、機器を分解したときに絶縁スペーサの片面（露出面）に大気圧がかかる場合には、大気圧がかかる面の裏面にも大気圧がかかるように、絶縁スペーサを取り付けた部分から絶縁ガスを回収し、その後で機器分解作業を行うことが考えられる。
【０００７】
ところが、絶縁スペーサへのガス圧荷重を軽くすることを目的として絶縁ガスの回収処理を広く実施すると、不具合部分を含む主母線だけでなく、健全な主母線の運用を停止させる必要が出てくる。二重母線方式のガス絶縁開閉装置において健全側の主母線運用を停止させれば、一時的にせよ両方の主母線が停止する。このため、停止した主母線から分岐されたユニット部分の運転も停止する。最悪の場合、電気所すべてが停止することとなり、電力安定供給の観点からも重大な問題となる。
【０００８】
以上のように、機器分解作業時に大気圧を受ける絶縁スペーサは、ガス圧荷重が増大するので十分な強度を発揮し難くなり、作業安全性の低下を招いた。また、絶縁スペーサへのガス圧荷重を軽減すべく絶縁ガスの回収処理範囲を広くすれば作業安全性は確保できるが、片母線だけで長期間運用するリスクが高まり、運用安定度に影響を及ぼしていた。
【０００９】
本実施形態のガス絶縁開閉装置は、上記の問題点を解決するために提案されたものである。本実施形態の目的は、定格ガス圧よりも低圧の低減ガスが封入されるガス減圧用母線を設けることにより、ガス区分用の絶縁スペーサが大気圧を受けてもガス圧荷重を低減させることができ、機器分解作業の安全性および運用安定度の向上を図ったガス絶縁開閉装置を提供することにある。
【課題を解決するための手段】
【００１０】
上記目的を達成するため、本実施形態のガス絶縁開閉装置は、次の（ａ）〜（ｄ）を備えたことを特徴とする。
（ａ）ガス絶縁開閉装置の構成要素に対し着脱自在に接続される着脱母線。
（ｂ）前記着脱母線に隣接して配置されるガス区分用の絶縁スペーサ。
（ｃ）前記着脱母線との間で前記絶縁スペーサを挟むようにして配置され、定格ガス圧の絶縁ガスが封入され、前記着脱母線を取り外すときに前記絶縁ガスのガス圧を定格ガス圧よりも低減させるガス減圧用母線。
（ｄ）前記ガス減圧用母線内部のガス圧を制御するガス圧制御部。
【図面の簡単な説明】
【００１１】
【図１】第１の実施形態の正面図。
【図２】第１の実施形態のガス区分を示す図。
【図３】第１の実施形態の単線結線図。
【図４】第１の実施形態における絶縁スペーサの側面図。
【図５】第１の実施形態において着脱母線を取り外した時のガス区分を示す図。
【図６】第１の実施形態において着脱母線を取り外した時のガス区分を示す図。
【図７】第１の実施形態において着脱母線を取り外した時のガス区分を示す図。
【図８】第１の実施形態において着脱母線を取り外した時のガス区分を示す図。
【図９】第２の実施形態の正面図。
【図１０】第２の実施形態のガス区分を示す図。
【図１１】第３の実施形態の正面図。
【図１２】第３の実施形態のガス区分を示す図。
【図１３】第４の実施形態の正面図。
【図１４】第４の実施形態のガス区分を示す図。
【発明を実施するための形態】
【００１２】
［第１の実施形態］
第１の実施形態に係るガス絶縁開閉装置について、図１〜図８を用いて説明する。
（構成の概要）
図１および図２に示すように、第１の実施形態は、独立した２本のＡ主母線２およびＢ主母線３を有する２重母線方式のガス絶縁開閉装置である。Ａ主母線２とＢ主母線３は互いに平行で且つ水平に配置されている。
【００１３】
第１の実施形態のガス絶縁開閉装置には、ガス遮断器１、断路器接地開閉器４、主母線断路器５が設けられている。ガス遮断器１は軸線が垂直に配置されている。ガス遮断器１において主母線２，３に近い側（図１の左側）には計器用変流器９ａが、その反対側（図１の右側）には計器用変流器９ｂが、それぞれ接続されている。また、図３の単線結線図に示すように、計器用変流器９ｂには接地開閉器１１、断路器１２、作業用開閉器１３および計器用変圧器１４が順次接続されている。
【００１４】
断路器接地開閉器４および主母線断路器５は主母線一体形ではなく、それぞれＡ主母線２、Ｂ主母線３と分離されたものである。断路器接地開閉器４および主母線断路器５の軸線は水平に配置されている。ガス遮断器１、主母線２，３、断路器接地開閉器４、主母線断路器５の内部には絶縁ガスが封入されている。絶縁ガスの定格ガス圧は０．４〜０．６ＭＰａに設定されている。
【００１５】
（詳細な構成）
第１の実施形態のガス絶縁開閉装置には、着脱母線６ａ，６１ａ，６ｂ，６１ｂ，６ｃと、ガス減圧用母線８ａ，８ｂと、絞り母線１０と、接続母線１８ａ，１８ｂが設けられている。これらの母線内部にも絶縁ガスが封入される。また、第１の実施形態にはガス区分用の絶縁スペーサ７が複数取り付けられている。
【００１６】
さらに、図１に示すように第１の実施形態にはガス圧制御部１９が設置されている。ガス圧制御部１９は絶縁スペーサ７にてガス区分されたガス区画内のガス圧をガス区画ごとに監視し、制御する装置である。ガス圧制御部１９が実施するガス圧制御処理としては、定格ガス圧よりガス圧を低減させるガス圧低減処理と、大気圧まで絶縁ガスを回収するガス回収処理とがある。ここではガス圧低減処理により実現されるガス圧を低減ガス圧と呼ぶことにする。なお、低減ガス圧は大気圧よりは高い値に設定される。
【００１７】
第１の実施形態に設けられる母線のうち、着脱母線６ａ，６１ａは断路器接地開閉器４と同軸上に配置されている。着脱母線６ａは断路器接地開閉器４および接続母線１８ａに着脱自在に接続され、着脱母線６１ａは絞り母線１０およびガス減圧用母線８ａに着脱自在に接続されている。
【００１８】
着脱母線６ｂ，６１ｂは主母線断路器５と同軸上に配置されている。着脱母線６ｂは主母線断路器５および接続母線１８ｂに着脱自在に接続され、着脱母線６１ｂは絞り母線１０およびガス減圧用母線８ｂに着脱自在に接続されている。着脱母線６ｃは計器用変流器９ａ同軸上に配置され、ガス遮断器１および計器用変流器９ａに着脱自在に接続されている。
【００１９】
ガス減圧用母線８ａは絶縁スペーサ７を挟むようにして断路器接地開閉器４および着脱母線６ａと同軸上に配置されている。ガス減圧用母線８ａは着脱母線６ａ，６１ａを取り外すときにガス圧制御部１９のガス圧低減処理によって内部のガス圧を低減ガス圧にまで低減され、ガス回収処理によって大気圧まで下げられる。
【００２０】
ガス減圧用母線８ｂは絶縁スペーサ７を挟むようにして主母線断路器５および着脱母線６ｂと同軸上に配置されている。ガス減圧用母線８ｂは着脱母線６ｂ，６１ｂを取り外すときにガス圧制御部１９のガス圧低減処理によって内部のガス圧が低減ガス圧にまで低減され、ガス回収処理によって内部のガス圧が大気圧まで下げられる。
【００２１】
絞り母線１０は主母線２，３からの引き出しを一つに集約するための母線である。絞り母線１０には絶縁スペーサ７を挟むことなく着脱母線６１ａ，６１ｂが取り付けられている。このとき、絶縁スペーサ７を介在させていないので絞り母線１０と着脱母線６１ａ，６１ｂには同一のガス区分である。
【００２２】
絞り母線１０はガス減圧用母線の役割を兼ねており、着脱母線６ａ，６１ａ，６ｂ，６１ｂ，６ｃのいずれか１つを取り外すときにガス圧制御部１９のガス圧低減処理によって内部のガス圧が低減ガス圧にまで低減される。また、絞り母線１０は着脱母線６１ａまたは６１ｂを取り外すときにガス圧制御部１９のガス回収処理によって内部のガス圧が大気圧まで下げられる。
【００２３】
さらに、第１の実施形態では主母線２，３もまた、ガス減圧用母線の役割を果たしている。すなわち、主母線２は着脱母線６ａを取り外すときにガス圧制御部１９のガス圧低減処理によって内部のガス圧が低減ガス圧にまで低減されるか、あるいはガス回収処理によって内部のガス圧が大気圧まで下げられる。主母線３は着脱母線６ｂを取り外すときにガス圧制御部１９のガス圧低減処理によって内部のガス圧が低減ガス圧にまで低減されるか、あるいはガス回収処理によって内部のガス圧が大気圧まで下げられる。
【００２４】
前述したように、絞り母線１０は主母線２，３からの引き出しを一つに集約するための母線なので、その上側にＡ主母線２からの引き出し部分が接続され、下側にＢ主母線３からの引き出し部分が接続される。また、絞り母線１０は計器用変流器９ａを介してガス遮断器１に接続されている。そこで第１の実施形態における構成要素の接続構成について、「Ａ主母線２から絞り母線１０まで」と、「Ｂ主母線３から絞り母線１０まで」と、「絞り母線１０から計器用変流器９ｂまで」に分けて説明すると、次のようになる。
【００２５】
Ａ主母線２から絞り母線１０までは、Ａ主母線２、絶縁スペーサ７、接続母線１８ａ、着脱母線６ａ、絶縁スペーサ７、断路器接地開閉器４、絶縁スペーサ７、ガス減圧用母線８ａ、絶縁スペーサ７、着脱母線６１ａ、絞り母線１０が順次接続されている。一方、Ｂ主母線３から絞り母線１０までは、Ｂ主母線３、絶縁スペーサ７、接続母線１８ｂ、着脱母線６ｂ、絶縁スペーサ７、主母線断路器５、絶縁スペーサ７、ガス減圧用母線８ｂ、絶縁スペーサ７、着脱母線６１ｂ、絞り母線１０が順次接続されている。また、絞り母線１０から計器用変流器９ｂまでは、絞り母線１０、絶縁スペーサ７、計器用変流器９ａ、着脱母線６ｃ、絶縁スペーサ７、ガス遮断器１が順次接続されている。
【００２６】
絶縁スペーサ７は着脱母線６ａ，６１ａ，６ｂ，６１ｂ，６ｃのいずれかが取り外されると、片面側に大気圧が加わるように配置されている。図４は絶縁スペーサ７の片面側に大気圧が加わった状態を示している。図４に示すように、絶縁スペーサ７の中心部には内部導体１５が絶縁支持され、周縁部にオーリング１６が設けられている。
【００２７】
片面側に大気圧がかかったときの絶縁スペーサ７へのガス圧荷重Ｆ（Ｎ）は、次の式（１）から求めることができる。Ｄはオーリング１６の径、Ｐは大気圧がかかる面の裏側の面にかかるガス圧である。
Ｆ（Ｎ）＝π／４・Ｄ２・Ｐ…（１）
つまり、絶縁スペーサ７に作用するガス圧荷重はこのガス圧Ｐに比例する。  
【００２８】
（主母線に不具合が生じた場合）
図５に示すように、Ａ主母線２に故障や事故等による不具合が発生した場合、ガス圧制御部１９は着脱母線６ａおよび接続母線１８ａに対しガス回収処理を行って母線内のガス圧を大気圧まで下げ、これら着脱母線６ａおよびＡ主母線２を取り外す。
【００２９】
このとき、ガス圧制御部１９は断路器接地開閉器４についても大気圧までガス回収する。また、ガス圧制御部１９はガス減圧用母線８ａに対してガス圧低減処理を行い、ガス減圧用母線８ａ内のガス圧を低減させて低減ガス圧とする。したがって、ガス減圧用母線８ａと断路器接地開閉器４との間に位置する絶縁スペーサ７は、断路器接地開閉器４側の面に大気圧がかかり、ガス減圧用母線８ａ側を向いた面には低減ガス圧がかかることになる。
【００３０】
このため、絶縁スペーサ７にかかるガス圧荷重は定格ガス圧が負荷されている場合と比べて、ガス減圧用母線８ａ内のガス圧を定格ガス圧から低減ガス圧まで下げた分だけ低くなる。その結果、絶縁スペーサ７へのガス圧荷重を軽減化することができ、絶縁スペーサ７に偏荷重や衝撃荷重が加わっても絶縁スペーサ７が割れたり損傷したりする心配がない。
【００３１】
以上のような本実施形態によれば、着脱母線６ａおよびＡ主母線２の取り外し作業を安全に行うことができる。また、着脱母線６ａおよびＡ主母線２を取り外す時、絶縁スペーサ７にガス圧荷重をかけないようにする特殊な着脱治具を使う必要がないので、効率よく取り外し作業を進めることが可能となる。
【００３２】
しかも、第１の実施形態では着脱母線６ａの取り外し作業に際して絞り母線１０は定格ガス圧を維持するので、定格ガス圧の低減範囲はガス減圧用母線８ａだけで済む。これにより、健全な状態にあるＢ主母線３は停止無しでの系統運用が可能であり、電力供給に関して優れた信頼性を獲得することができる。
【００３３】
また、Ｂ主母線３に故障が発生してこれを取り外す場合には、着脱母線６ａに代えて着脱母線６ｂを取り外す。このとき、ガス圧制御部１９は主母線断路器５に対してガス回収処理を行って大気圧まで下げ、ガス減圧用母線８ｂに対してはガス圧低減処理を行い、ガス圧を低減ガス圧まで減圧する。
【００３４】
こうすることで、着脱母線６ａを取り外す場合と同じく、ガス減圧用母線８ｂと主母線断路器５との間に位置する絶縁スペーサ７へのガス圧荷重を大幅に低減することが可能となる。これにより、着脱母線６ｂの取り外し作業時の安全性および作業性を確保すると同時に、片母線による長期間運用といったリスクを回避して運用安定度を高めることが可能である。
【００３５】
（断路器接地開閉器に不具合が生じた場合）
図６に示すように、断路器接地開閉器４に故障や事故等による不具合が発生した場合、ガス圧制御部１９は断路器接地開閉器４および着脱母線６ａに対しガス回収処理を行ってガス圧を大気圧まで低下させ、その後、着脱母線６ａおよび断路器接地開閉器４を取り外す。
【００３６】
このとき、ガス圧制御部１９はガス減圧用母線８ａに対してもガス回収処理を行い、大気圧まで下げる。また、ガス圧制御部１９は絞り母線１０に対してガス圧低減処理を行い、絞り母線１０内のガス圧を低減させて低減ガス圧とする。さらにガス圧制御部１９は接続母線１８ａに対してガス回収処理を行って大気圧まで下げ、Ａ主母線２に対してガス圧低減処理を行ってＡ主母線２内のガス圧を低減ガス圧とする。
【００３７】
これにより、ガス減圧用母線８ａと絞り母線１０との間に取り付けられた絶縁スペーサ７、ならびには接続母線１８ａとＡ主母線２との間に取り付けられた絶縁スペーサ７には、一方の面からは大気圧がかかり、もう一方の面からは低減ガス圧がかかることになる。
【００３８】
このため、絶縁スペーサ７にかかるガス圧荷重は定格ガス圧が負荷されている場合と比べて、ガス圧を定格ガス圧から低減ガス圧まで下げた分だけ低くなる。その結果、絶縁スペーサ７へのガス圧荷重を軽減化することができ、上記の場合と同じく、着脱母線６ａの取り外し作業時の安全性および作業性を向上する。
【００３９】
また、第１の実施形態では、絞り母線１０およびＡ主母線２内のガス圧を低減ガス圧としたことで、断路器接地開閉器４の除去に伴う絶縁ガスの回収処理範囲を最小限に抑えることが可能である。したがって、片母線による長期間運用リスクを回避することができ、運用安定度が増す。
【００４０】
なお、主母線断路器５に故障が発生してこれを取り外す場合には、着脱母線６ａに代えて着脱母線６ｂを取り外し、ガス圧制御部１９はガス減圧用母線８ｂに対してガス回収処理を行って大気圧まで下げ、絞り母線１０に対してガス圧低減処理を行う。これにより、着脱母線６ａおよび断路器接地開閉器４を取り外す場合と同様の作用効果を得ることができる。
【００４１】
（ガス遮断器に不具合が生じた場合）
図７はガス遮断器１に不具合部分が生じた場合を示している。ガス遮断器１を撤去する際には、ガス圧制御部１９はガス遮断器１、着脱母線６ｃおよび計器用変圧器９ａ，９ｂに対してガス回収処理を行い、これらのガス圧を大気圧まで低下させてから、ガス遮断器１および着脱母線６ｃを取り外す。
【００４２】
このとき、ガス圧制御部１９は絞り母線１０に対してガス圧低減処理を行い、絞り母線１０内のガス圧を低減させて低減ガス圧とする。したがって、計器用変圧器９ａと絞り母線１０との間に位置する絶縁スペーサ７は、計器用変圧器９ａ側の面に大気圧がかかるが、絞り母線１０の内側を向いた面には低減ガス圧がかかる。
【００４３】
つまり、絶縁スペーサ７にかかるガス圧荷重は定格ガス圧が負荷されている場合と比べて、絞り母線１０内のガス圧を低減ガス圧まで下げた分だけ低くなり、絶縁スペーサ７のガス圧荷重を軽減化することができる。このため、絶縁スペーサ７の破損を確実に防止して作業安全性を高めることができる。また、特殊な着脱治具を使わないので作業効率が良好であり、さらには、絶縁ガスの回収処理範囲を抑制して運用安定度が向上する。
【００４４】
（絞り母線に不具合が生じた場合）
図８に示すように、絞り母線１０に不具合部分が生じた場合は、ガス圧制御部１９は着脱母線６１ａ，６１ｂおよび絞り母線１０に対してガス回収処理を行う。この処理により着脱母線６１ａ，６１ｂおよび絞り母線１０のガス圧を大気圧まで低下させてから、着脱母線６１ａ，６１ｂおよび絞り母線１０を取り外す。
【００４５】
また、ガス圧制御部１９はガス減圧用母線８ａ，８ｂおよび計器用変流器９ａに対してガス圧低減処理を行い、ガス減圧用母線８ａ，８ｂおよび計器用変流器９ａ内のガス圧を低減させて低減ガス圧とする。したがって、ガス減圧用母線８ａ，８ｂおよび計器用変流器９ａに取り付けられた絶縁スペーサ７は、露出した面に大気圧がかかるが、内側を向いた面には低減ガス圧がかかる。
【００４６】
このため、絶縁スペーサ７にかかるガス圧荷重は定格ガス圧が負荷されている場合と比べて、ガス圧を定格ガス圧から低減ガス圧まで下げた分だけ低くなる。その結果、絶縁スペーサ７へのガス圧荷重を軽減化することができ、上記の場合と同じく、着脱母線６１ａ，６１ｂの取り外し作業を安全且つ効率よく実施することができる。
【００４７】
（作用効果）
上述したように、第１の実施形態によれば、機器の分解作業に際して絶縁スペーサ７に大気圧と定格圧力とガス圧差をかけることなく、安全に作業をすることが可能である。また、絶縁ガスの回収処理範囲を最小限に抑えているため、片母線だけで長期間運用するリスクを回避することができ、優れた運用安定度を発揮することができる。
【００４８】
また、第１の実施形態では、着脱母線６１ａ，６１ｂと絞り母線１０との間には絶縁スペーサ７を省略して同一のガス区分としたので、構造の簡素化を実現することができる。これにより、作業性の向上と部材低減による低コスト化という作用効果を得ることができる。
【００４９】
さらに、第１の実施形態における断路器接地開閉器４および主母線断路器５は、主母線と主母線断路器を一体構造とした主母線一体形ではなく、母線に比べて故障リスクが高いい主母線断路器を独立したガス監視区分としている。これにより、運用安定度の向上に寄与することができる。また、第１の実施形態では、Ａ主母線２およびＢ主母線３が水平に配置されているので、高さ寸法を低減させることができる。さらに、第１の実施形態においては、着脱母線６１ａとガス減圧用母線８ａが同軸上に配置され、着脱母線６１ｂとガス減圧用母線８ｂが同軸上に配置されているため、機器分解作業の作業効率が高いといったメリットがある。
【００５０】
[第２の実施形態]
第２の実施形態について、図９および図１０に従って説明する。第２の実施形態の基本的な構成は上記第１の実施形態と同様である。そのため、同一の構成要素に関しては同一符号を付して説明は省略する。
【００５１】
（構成）
第２の実施形態の構成上の特徴は、Ｂ主母線３側に接続されるガス減圧用母線８１ｂおよび着脱母線６１ｂが、着脱母線６ｂの軸線に対して、直角を含む任意の角度で交差するように配置された点にある。図９に示した例ではガス減圧用母線８１ｂおよび着脱母線６１ｂが、着脱母線６ｂの軸線に対し、直角に交差するように配置されている。ガス減圧用母線８１ｂは主母線断路器５および絞り母線１０の下端部に接続されている。また、着脱母線６１ａ，６１ｂと絞り母線１０との間に絶縁スペーサ７が配置されている。なお、図示はしていないが、図１と同様に、絶縁スペーサ７にてガス区分されたガス区画内のガス圧をガス区画ごとに監視し、制御する装置であるガス圧制御部１９が設置されている。
【００５２】
（作用効果）
このような第２の実施形態によれば、上記第１の実施形態の持つ作用効果に加えて、ガス減圧用母線８１ｂが着脱母線６ｂの軸線と直角を含む任意の角度で交差することで据付面積を縮小することが可能である。また、第２の実施形態では着脱母線６１ａ，６１ｂと絞り母線１０との間に絶縁スペーサ７を設置したので、着脱母線６１ａ，６１ｂは独立したガス区分となり、機器の分解作業をより細かい範囲で実施することが可能である。
【００５３】
[第３の実施形態]
第３の実施形態について、図１１および図１２に従って説明する。第３の実施形態の基本的な構成は上記第２の実施形態と同様である。そのため、同一の構成要素に関しては同一符号を付して説明は省略する。
（構成）
第３の実施形態は、着脱母線６１ｃに特徴がある。すなわち、着脱母線６１ｃはガス遮断器１を着脱させる機能に加えて、Ａ主母線２側に対する絞り母線１０の着脱機能を追加した構成となっている。なお、図示はしていないが、図１と同様に、絶縁スペーサ７にてガス区分されたガス区画内のガス圧をガス区画ごとに監視し、制御する装置であるガス圧制御部１９が設置されている。
【００５４】
（作用効果）
以上のような第３の実施形態の着脱母線６１ｃは、ガス遮断器１用の着脱母線６ｃに、Ａ主母線２側への絞り母線１０の着脱機能を持たせている。そのため、絞り母線１０に接続されていた着脱母線６１ａを削除することが可能であり、着脱母線を減らすことで低コスト化が実現する。
【００５５】
［他の実施形態］
なお、上記の実施形態は、本明細書において一例として提示したものであって、発明の範囲を限定することを意図するものではない。すなわち、その他の様々な形態で実施されることが可能であり、発明の範囲を逸脱しない範囲で、種々の省略や置き換え、変更を行うことが可能である。これらの実施形態やその変形例は、発明の範囲や要旨に含まれると同様に、特許請求の範囲に記載された発明とその均等の範囲に含まれるものである。
【００５６】
例えば、図１３および図１４に示す実施形態は、上記第３の実施形態においてＡ主母線２、Ｂ主母線３を水平ではなく、垂直に配置した実施形態である。このような実施形態によれば、主母線２，３を垂直に配置することで大幅な据付面積の縮小化が可能である。また、ガス減圧用母線と着脱母線との配置角度は適宜変更可能である。さらには、着脱機能を追加させる着脱母線に関してもガス遮断器用のものに限らず、他の機器に接続される着脱母線であっても構わない。なお、図示はしていないが、図１と同様に、絶縁スペーサ７にてガス区分されたガス区画内のガス圧をガス区画ごとに監視し、制御する装置であるガス圧制御部１９が設置されている。
【符号の説明】
【００５７】
１  ガス遮断器
２  Ａ主母線
３  Ｂ主母線
４  断路器接地開閉器
５  主母線断路器
６ａ，６１ａ，６ｂ，６１ｂ，６ｃ，６１ｃ  着脱母線
７  絶縁スペーサ
８ａ，８ｂ，８１ｂ  ガス減圧用母線
９ａ、９ｂ  計器用変流器
１０  絞り母線
１１  接地開閉器
１２  断路器
１３  作業用接地開閉器
１４  計器用変圧器
１５  内部導体
１６  オーリング
１８ａ，１８ｂ  接続母線
１９  ガス圧制御部
【図１】
2013215020.tif 000003
【図２】
2013215020.tif 000004
【図３】
2013215020.tif 000005
【図４】
2013215020.tif 000006
【図５】
2013215020.tif 000007
【図６】
2013215020.tif 000008
【図７】
2013215020.tif 000009
【図８】
2013215020.tif 000010
【図９】
2013215020.tif 000011
【図１０】
2013215020.tif 000012
【図１１】
2013215020.tif 000013
【図１２】
2013215020.tif 000014
【図１３】
2013215020.tif 000015
【図１４】
2013215020.tif 000016